(57)【特許請求の範囲】
【請求項１】
取り付け対象のアングル材と同角度を成す２つの板部で構成される当て板部材と、
前記当て板部材の一方の板部の外面上に該当て板部材の稜線部と直交する方向に軸線を向けて一体に固着され、反稜線部側の端部寄り部位の外周面に螺子を形成されるとともに、稜線部から突出する側の端部に膨大部を設けられた第１の棒状部材と、
前記当て板部材の他方の板部の外面上に該当て板部材の稜線部と直交する方向に軸線を向けて一体に固着され、反稜線部側の端部寄り部位の外周面に螺子を形成されるとともに、稜線部側の端部を前記第１の棒状部材に一体に固着された第２の棒状部材と、
所定角度を成す２つの板部で構成される板金具と、該板金具の一方の板部の外面上に該板金具の稜線部と直行する方向に軸線を向けて一体に固着された筒金具から成り、該筒金具を前記第１の棒状部材の反稜線部側の端部寄りに抜き差し自在に嵌められて成る第１の当て金具と、
所定角度を成す２つの板部で構成される板金具と、該板金具の一方の板部の外面上に該板金具の稜線部と直行する方向に軸線を向けて一体に固着された筒金具から成り、該筒金具を前記第２の棒状部材の反稜線部側の端部寄りに抜き差し自在に嵌められて成る第２の当て金具と、
を有し、前記当て板部材の内面を取り付け対象のアングル材の外面に押し当て、前記第１の当て金具の板金具を当該アングル材の一方の縁に当接させつつ前記第１の棒状部材の螺子にナットを螺合して締め付けるとともに、前記第２の当て金具の板金具を当該アングル材の他方の縁に当接させつつ前記第２の棒状部材の螺子にナットを螺合して締め付けることにより、当該アングル材に取り付けられる塔柱用ステップ金具。
【請求項２】
請求項１に於いて、
前記当て板部材の一方の板部の外面上に前記第１の棒状部材を跨ぐようにしてＵ字形状の係止金具の両端を固着して成る、
塔柱用ステップ金具。
【請求項３】
請求項１に於いて、
前記第１の棒状部材の膨大部からさらに、又は膨大部に代えて、輪状の係止金具を延設して成る、
塔柱用ステップ金具。
【請求項４】
請求項１〜請求項３の何れかに於いて、
前記第１の当て金具の板金具は鋭角を成す２つの板部で構成されており、２つの板部の開放側がアングル材の側を向くように筒金具を前記第１の棒状部材に嵌めることができるとともに、逆に、２つの板部が連続する稜線部側がアングル材の側を向くように筒金具を前記第１の棒状部材に嵌めることもでき、
前記第２の当て金具の板金具は鋭角を成す２つの板部で構成されており、２つの板部の開放側がアングル材の側を向くように筒金具を前記第２の棒状部材に嵌めることができるとともに、逆に、２つの板部が連続する稜線部側がアングル材の側を向くように筒金具を前記第２の棒状部材に嵌めることもできる、
塔柱用ステップ金具。
【請求項５】
請求項１〜請求項３の何れかに於いて、
前記第１の当て金具の板金具は鈍角を成す２つの板部で構成されており、２つの板部のうちで筒金具に固着されていない板部である他方の板部の外面側がアングル材の側を向くようにして筒金具を前記第１の棒状部材に嵌められ、
前記第２の当て金具の板金具は鈍角を成す２つの板部で構成されており、２つの板部のうちで筒金具に固着されていない板部である他方の板部の外面側がアングル材の側を向くようにして筒金具を前記第２の棒状部材に嵌められる、
塔柱用ステップ金具。
【請求項６】
請求項１〜請求項３の何れかに於いて、
前記第１の当て金具の板金具は筒金具に固着された板部である一方の板部と固着されていない板部である他方の板部で構成され、該他方の板部は２つの板部の境界を成す稜線部から鈍角で立ち上がる段部と該段部から前記板部材の一方の板部と平行面を成し得るように延設された延設部を有し、段部がアングル材に当接し得るようにして筒金具を前記第１の棒状部材に嵌められ、
前記第２の当て金具の板金具は筒金具に固着された板部である一方の板部と固着されていない板部である他方の板部で構成され、該他方の板部は２つの板部の境界を成す稜線部から鈍角で立ち上がる段部と該段部から前記板部材の他方の板部と平行面を成し得るように延設された延設部を有し、段部がアングル材に当接し得るようにして筒金具を前記第２の棒状部材に嵌められる、
塔柱用ステップ金具。
【発明の詳細な説明】
【技術分野】
【０００１】
本発明は、送電用鉄塔、鉄道架線支持用構造体、或いは無線用鉄塔のように、アングル鋼材を脚体に用いて成る塔柱形状の建造物に対して、作業用の一時的な昇降通路を形成するための塔柱用ステップ金具に関する。
【背景技術】
【０００２】
送電用鉄塔、鉄道架線支持用構造体、或いは無線用鉄塔のように、アングル鋼材を脚体に用いて成る建造物では、部外者による望ましくない昇塔を避ける等の理由から、恒常的な昇降用設備を設けない場合がある。かかる建造物では、作業等の必要が生じた場合、昇降用のステップを仮設して対応している。
【０００３】
特許第３８６１９５６号公報（特許文献１）には、直交状態に組み付けたステップ付ボルトと取付ボルトとをアングル鋼材の外面に押し当ててナットで緊締し、根元部をステップ付ボルトに溶接するとともに該ステップ付ボルトから垂直に突出させて成るステップシャフトを昇降用ステップとして用いるステップ取付装置が記載されている。
【特許文献１】特許第３８６１９５６号公報
【発明の開示】
【発明が解決しようとする課題】
【０００４】
特許文献１のステップ取付装置は、ステップ付ボルトと取付ボルトという２本の棒状部材を直交状態に組み付けてアングル鋼材の外面に水平に押し当ててナットで緊締するものであるため、垂直方向の変移を確実に防止する支持構造が無い。このため、当初はガタつき無くアングル鋼材に固定されていたとしても、作業中の昇降の繰り返しによって徐々に上下方向にガタつくようになる恐れがある。
本発明は、アングル鋼材に対してしっかりと固定でき、作業中の昇降の繰り返しによってもガタつくことがない塔柱用ステップ金具を提供することを目的とする。
【課題を解決するための手段】
【０００５】
本発明は、下記［１］〜［６］の構成を成す。
この「課題解決手段」の項目及び次の「発明の効果」の項目に於いて、符号は理解を容易にするために付したものであり、本発明を符号の構成に限定する趣旨ではない。
［１］構成１（図１〜６参照）：
取り付け対象のアングル材１と同角度を成す２つの板部２１，２２で構成される当て板部材２と、
前記当て板部材２の一方の板部２１の外面上に該当て板部材２の稜線部（２つの板部２１，２２の境界を成す直線状の部位）２０と直交する方向に軸線３ａｘを向けて一体に固着され、反稜線部側の端部寄り部位の外周面に螺子３１を形成されるとともに、稜線部２０から突出する側の端部に膨大部３５を設けられた第１の棒状部材３と、
前記当て板部材２の他方の板部２２の外面上に該当て板部材２の稜線部２０と直交する方向に軸線４ａｘを向けて一体に固着され、反稜線部側の端部寄り部位の外周面に螺子４１を形成されるとともに、稜線部２０側の端部４２を前記第１の棒状部材３に一体に固着された第２の棒状部材４と、
所定角度を成す２つの板部５１１，５１２で構成される板金具５１と、該板金具５１の一方の板部５１１の外面上に該板金具５１の稜線部（２つの板部５１１，５１２の境界を成す直線状の部位）５１０と直行する方向に軸線５５ａｘを向けて一体に固着された筒金具５５から成り、該筒金具５５を前記第１の棒状部材３の反稜線部側の端部寄りに抜き差し自在に嵌められて成る第１の当て金具５と、
所定角度を成す２つの板部６１１，６１２で構成される板金具６１と、該板金具６１の一方の板部６１１の外面上に該板金具６１の稜線部（２つの板部６１１，６１２の境界を成す直線状の部位）６１０と直行する方向に軸線６５ａｘを向けて一体に固着された筒金具６５から成り、該筒金具６５を前記第２の棒状部材４の反稜線部側の端部寄りに抜き差し自在に嵌められて成る第２の当て金具６と、
を有し、前記当て板部材２の内面を取り付け対象のアングル材１の外面に押し当て、前記第１の当て金具５の板金具５１を当該アングル材１の一方の縁１６に当接させつつ前記第１の棒状部材３の螺子３１にナット３９を螺合して締め付けるとともに、前記第２の当て金具６の板金具６１を当該アングル材１の他方の縁１７に当接させつつ前記第２の棒状部材４の螺子４２にナット４９を螺合して締め付けることにより、当該アングル材１に取り付けられる塔柱用ステップ金具。
【０００６】
［２］構成２（図１〜４参照）：
構成１に於いて、
前記当て板部材２の一方の板部２１の外面上に前記第１の棒状部材３を跨ぐようにしてＵ字形状の係止金具７の両端７５，７６を固着して成る、
塔柱用ステップ金具。
【０００７】
［３］構成３（図５〜６参照）：
構成１に於いて、
前記第１の棒状部材３の膨大部３５からさらに、又は、膨大部に代えて、輪状の係止金具７ｕを延設して成る、
塔柱用ステップ金具。
【０００８】
［４］構成４（図１〜４参照）：
構成１〜３の何れかに於いて、
前記第１の当て金具５の板金具５１は鋭角を成す２つの板部５１１，５１２で構成されており、２つの板部５１１，５１２の開放側がアングル材１の側を向くように筒金具５５を前記第１の棒状部材３に嵌めることができるとともに、逆に、２つの板部５１１，５１２が連続する稜線部５１０側がアングル材１の側を向くように筒金具５５を前記第１の棒状部材３に嵌めることもでき、
前記第２の当て金具６の板金具６１は鋭角を成す２つの板部６１１，６１２で構成されており、２つの板部６１１，６１２の開放側がアングル材１の側を向くように筒金具６５を前記第２の棒状部材４に嵌めることができるとともに、逆に、２つの板部６１１，６１２が連続する稜線部６１０側がアングル材１の側を向くように筒金具を前記第２の棒状部材４に嵌めることもできる、
塔柱用ステップ金具。
図１に於いて、実線で示す第１の当て金具５は２つの板部５１１，５１２の開放側をアングル材（比較的大サイズのアングル材；太２点鎖線で例示するアングル材１を参照のこと）の方向へ向けて嵌める場合を示し、細２点鎖線で示す第１の当て金具５は稜線部５１０側をアングル材（比較的小サイズのアングル材；細２点鎖線で例示する比較的小サイズのアングル材１００を参照のこと）の方向へ向けて嵌める場合を示す。
【０００９】
［５］構成５（図５〜６参照）：
構成１〜３の何れかに於いて、
前記第１の当て金具５ｕの板金具５１ｕは鈍角を成す２つの板部５１１ｕ，５１２ｕで構成されており、２つの板部のうちで筒金具５５に固着されていない板部である他方の板部５１２ｕの外面側がアングル材１０１の側を向くようにして筒金具５５を前記第１の棒状部材３に嵌められ、
前記第２の当て金具６ｕの板金具６１ｕは鈍角を成す２つの板部６１１ｕ，６１２ｕで構成されており、２つの板部のうちで筒金具５５に固着されていない板部である他方の板部６１２ｕの外面側がアングル材１０１の側を向くようにして筒金具６５を前記第２の棒状部材４に嵌められる、
塔柱用ステップ金具。
【００１０】
［６］構成６（図７参照）：
構成１〜３の何れかに於いて、
前記第１の当て金具５ｖの板金具５１ｖは筒金具５５に固着された板部である一方の板部５１１ｖと固着されていない板部である他方の板部で構成され、該他方の板部は２つの板部の境界を成す稜線部から鈍角で立ち上がる段部５１３ｖと該段部５１３ｖから前記板部材２の一方の板部２１と平行面を成し得るように延設された延設部５１４ｖを有し、段部５１３ｖがアングル材１に当接し得るようにして筒金具５５を前記第１の棒状部材３に嵌められ、
前記第２の当て金具６ｖの板金具６１ｖは筒金具６５に固着された板部である一方の板部６１１ｖと固着されていない板部である他方の板部で構成され、該他方の板部は２つの板部の境界を成す稜線部から鈍角で立ち上がる段部６１３ｖと該段部６１３ｖから前記板部材２の他方の板部２２と平行面を成し得るように延設された延設部６１４ｖを有し、段部６１３ｖがアングル材１に当接し得るようにして筒金具６５を前記第２の棒状部材４に嵌められる、
塔柱用ステップ金具。
【発明の効果】
【００１１】
構成１は、取り付け対象のアングル材１と同角度を成す２つの板部２１，２２で構成される当て板部材２と、前記当て板部材２の一方の板部２１の外面上に該当て板部材２の稜線部（２つの板部２１，２２の境界を成す直線状の部位）２０と直交する方向に軸線３ａｘを向けて一体に固着され、反稜線部側の端部寄り部位の外周面に螺子３１を形成されるとともに、稜線部２０から突出する側の端部に膨大部３５を設けられた第１の棒状部材３と、前記当て板部材２の他方の板部２２の外面上に該当て板部材２の稜線部２０と直交する方向に軸線４ａｘを向けて一体に固着され、反稜線部側の端部寄り部位の外周面に螺子４１を形成されるとともに、稜線部２０側の端部４２を前記第１の棒状部材３に一体に固着された第２の棒状部材４と、所定角度を成す２つの板部５１１，５１２で構成される板金具５１と、該板金具５１の一方の板部５１１の外面上に該板金具５１の稜線部（２つの板部５１１，５１２の境界を成す直線状の部位）５１０と直行する方向に軸線５５ａｘを向けて一体に固着された筒金具５５から成り、該筒金具５５を前記第１の棒状部材３の反稜線部側の端部寄りに抜き差し自在に嵌められて成る第１の当て金具５と、所定角度を成す２つの板部６１１，６１２で構成される板金具６１と、該板金具６１の一方の板部６１１の外面上に該板金具６１の稜線部（２つの板部６１１，６１２の境界を成す直線状の部位）６１０と直行する方向に軸線６５ａｘを向けて一体に固着された筒金具６５から成り、該筒金具６５を前記第２の棒状部材４の反稜線部側の端部寄りに抜き差し自在に嵌められて成る第２の当て金具６と、を有し、前記当て板部材２の内面を取り付け対象のアングル材１の外面に押し当て、前記第１の当て金具５の板金具５１を当該アングル材１の一方の縁１６に当接させつつ前記第１の棒状部材３の螺子３１にナット３９を螺合して締め付けるとともに、前記第２の当て金具６の板金具６１を当該アングル材１の他方の縁１７に当接させつつ前記第２の棒状部材４の螺子４２にナット４９を螺合して締め付けることにより、当該アングル材１に取り付けられる塔柱用ステップ金具であるため、垂直方向に変移させようとする力に対し、当て板部材２が抗するように作用する。このため、作業中の昇降の繰り返しによって上下方向にガタつくようになることを防止できる。
【００１２】
構成２は、構成１に於いて、前記当て板部材２の一方の板部２１の外面上に前記第１の棒状部材３を跨ぐようにしてＵ字形状の係止金具７の両端７５，７６を固着して成る塔柱用ステップ金具であるため、構成１の作用効果に加えて、さらに、Ｕ字形状の係止金具７をライフロープのフックの係止用に用いることができる効果がある。
【００１３】
構成３は、構成１に於いて、前記第１の棒状部材３の膨大部３５からさらに輪状の係止金具７ｕを延設して成る塔柱用ステップ金具であるため、構成１の作用効果に加えて、さらに、輪状の係止金具７ｕをライフロープのフックの係止用に用いることができる効果がある。
【００１４】
構成４は、構成１〜３の何れかに於いて、前記第１の当て金具５の板金具５１は鋭角を成す２つの板部５１１，５１２で構成されており、２つの板部５１１，５１２の開放側がアングル材１の側を向くように筒金具５５を前記第１の棒状部材３に嵌めることができるとともに、逆に、２つの板部５１１，５１２が連続する稜線部５１０側がアングル材１の側を向くように筒金具５５を前記第１の棒状部材３に嵌めることもでき、前記第２の当て金具６の板金具６１は鋭角を成す２つの板部６１１，６１２で構成されており、２つの板部６１１，６１２の開放側がアングル材１の側を向くように筒金具６５を前記第２の棒状部材４に嵌めることができるとともに、逆に、２つの板部６１１，６１２が連続する稜線部６１０側がアングル材１の側を向くように筒金具を前記第２の棒状部材４に嵌めることもできる塔柱用ステップ金具であるため、２つの板部５１１，５１２・６１１，６１２の開放側をアングル材１に向けた場合は大きなアングル材に対応でき、連続する稜線部５１０，６１０側をアングル材１に向けた場合は小さなアングル材１００に対応できる効果がある。即ち、開放側を向けた場合は２つの板部の内面側がアングル材に当接して押圧するが、連続する稜線部５１０，６１０側を向けた場合は２つの板部の外面側の稜線部５１０，６１０付近がアングル材１００に当接して押圧するため、結果、当て金具５，６をよりアングル材方向へ更に移動させることが可能となり、小さなアングル材１００に対応できる。
【００１５】
構成５は、構成１〜３の何れかに於いて、前記第１の当て金具５ｕの板金具５１ｕは鈍角を成す２つの板部５１１ｕ，５１２ｕで構成されており、２つの板部のうちで筒金具５５に固着されていない板部である他方の板部５１２ｕの外面側がアングル材１０１の側を向くようにして筒金具５５を前記第１の棒状部材３に嵌められ、前記第２の当て金具６ｕの板金具６１ｕは鈍角を成す２つの板部６１１ｕ，６１２ｕで構成されており、２つの板部のうちで筒金具５５に固着されていない板部である他方の板部６１２ｕの外面側がアングル材１０１の側を向くようにして筒金具６５を前記第２の棒状部材４に嵌められる塔柱用ステップ金具であるため、アングル材１０１の幅サイズが当て板部材２の板部２１，２２の幅サイズより小さい場合でも、対応することができる。
【００１６】
構成６は、構成１〜３の何れかに於いて、前記第１の当て金具５ｖの板金具５１ｖは筒金具５５に固着された板部である一方の板部５１１ｖと固着されていない板部である他方の板部で構成され、該他方の板部は２つの板部の境界を成す稜線部から鈍角で立ち上がる段部５１３ｖと該段部５１３ｖから前記板部材２の一方の板部２１と平行面を成し得るように延設された延設部５１４ｖを有し、段部５１３ｖがアングル材１０２に当接し得るようにして筒金具５５を前記第１の棒状部材３に嵌められ、前記第２の当て金具６ｖの板金具６１ｖは筒金具６５に固着された板部である一方の板部６１１ｖと固着されていない板部である他方の板部で構成され、該他方の板部は２つの板部の境界を成す稜線部から鈍角で立ち上がる段部６１３ｖと該段部６１３ｖから前記板部材２の他方の板部２２と平行面を成し得るように延設された延設部６１４ｖを有し、段部６１３ｖがアングル材１０２に当接し得るようにして筒金具６５を前記第２の棒状部材４に嵌められる塔柱用ステップ金具であるため、延設部５１４ｖ／６１４ｖでアングル材１０２を覆うようにして取り付けることができる。言い換えれば、延設部５１４ｖ／６１４ｖと板部２１／２２の間に、アングル材１０２を挟み込むことができる。このため、作業者の昇降等により大きな衝撃力が加わった場合でも、塔柱用ステップ金具がアングル材１０２から外れ難くなるという効果がある。また、取り付ける際には、延設部５１４ｖ／６１４ｖをアングル材１０２により係止することができるため、筒金具５５／６５が棒状部材３／４の軸回りに回りそうになることを防止でき、取り付け作業が容易である。
また、板金具５１ｖ／６１ｖがアングル材１０２に当接する部位が、筒金具５５／６５の内端よりもアングル材１０２寄りであるため、取り付ける作業時に筒金具を軸方向で移動させるストロークを、構成４に於いて板金具５１／６１の開放側をアングル材に向けて嵌める場合よりも小さくでき、取り付け作業が容易である。
また、構成５と同様に、アングル材１０１の幅サイズが当て板部材２の板部２１，２２の幅サイズより小さい場合でも、対応できるという効果もある。
【発明を実施するための最良の形態】
【００１７】
以下、本発明の実施の形態を、図を参照して説明する。
［ａ］第１の実施の形態：
図１は第１の実施の形態の塔柱用ステップ金具を示す上面図、図２は図１内左方から見た左側面図、図３は図１内下方から見た正面図、図４は図１の塔柱用ステップ金具の概要を示す斜視図である。
【００１８】
図示のように、第１の実施の形態の塔柱用ステップ金具は、当て板部材２と、当て板部材２に溶接等で一体に固着された第１の棒状部材３と、当て板部材２及び第１の棒状部材３に溶接等で一体に固着された第２の棒状部材４と、第１の棒状部材３に抜き差し自在に嵌められた第１の当て金具５と、第２の棒状部材４に抜き差し自在に嵌められた第２の当て金具６と、当て板部材２に両端部７５，７６を溶接等で一体に固着されたＵ字形状の係止金具７とから成る。
【００１９】
鋼板を曲げて成る当て板部材２は、等柱用ステップ金具を取り付ける対象のアングル材１と同角度（通常は「直角」）を成す２つの板部２１，２２で構成される。なお、図１に於いて太二点鎖線のアングル材１はサイズが大きなアングル材を示し、細二点鎖線のアングル材１００は小さなアングル材を示す。
【００２０】
鋼製である第１の棒状部材３は、第１の当て金具５が抜き差し自在に嵌められる螺子部位（図１内で右寄りの部位＝構成１の「反稜線部側の端部寄り部位」；螺子３１が形成されている部位）と、作業者の足場として機能するステップ部位（図１内左寄りの部位＝構成１の「稜線部から突出する側」の部位）とから成り、ステップ部位の端部には、作業者の足掛かりとなる膨大部３５が設けられている。膨大部３５は、図示の例ではナットを固着することによって形成しているが、ナットに限定されず、作業者の足掛かりとなるものであればよい。
この第１の棒状部材３は、その略中央部付近が、当て板部材２の一方の板部２１の外面上に、溶接等の公知の手法によって一体に固着されている。その方向は、第１の棒状部材３の軸線３ａｘが、当て板部材２の稜線部（２つの板部２１，２２の境界を成す直線状の部位）２０と直交する方向である。なお、軸線３ａｘと稜線部２０とは、数学的な意味では「直交」ではなく、図３の正面視で相互に垂直を成すねじれの位置関係にあるが、ここでは直感的に理解し易くするため「直交」といい、以下、同様とする。
【００２１】
鋼製である第２の棒状部材４は、その根元部付近が当て板部材２の他方の板部２２の外面上に溶接等の公知の手法によって一体に固着されており、且つ、根元４２の端部が第１の棒状部材３に溶接等の公知の手法によって一体に固着されている。その方向は、第２の棒状部材４の軸線４ａｘが、当て板部材２の稜線２０及び第１の棒状部材３の軸線３ａｘと図２の左側面視で直交する方向である。
この第２の棒状部材４の先端側（図１内で上方側＝構成１の「反稜線部側の端部寄り部位」）の部位は、第２の当て金具６が抜き差し自在に嵌められる螺子部位（螺子４１の形成部位）とされている。
【００２２】
鋼製である第１の当て金具５は、板金具５１と筒金具５５を溶接等の公知の手法によって一体に固着して成る。
板金具５１は、鋭角を成す２つの板部５１１，５１２で構成される。この板部５１１と５１２は、１枚の板を曲げることによって構成してもよく、２枚の板を溶接等で接合して構成してもよい。
筒金具５５は、第１の棒状部材３の螺子３１に抜き差し自在な筒状を成す。
この筒金具５５の外周面上に、板金具５１の一方の板部５１１を溶接することにより、当て金具５が構成される。その固着方向は、筒金具５５の軸線５５ａｘが、板金具５１の稜線部（２つの板部５１１，５１２の境界を成す直線状の部位；図示の例ではアールに形成されている）５１０と、図３の正面視で直交する方向である。
【００２３】
この第１の当て金具５は、通常は、図１内に実線で示すように、板部５１１，５１２の開放側がアングル材１の縁１６に対面する向きで第１の棒状部材３に嵌められるが、アングル材が小さい場合（図１内に細二点鎖線で示すアングル材１００の場合）には、図１内に細二点鎖線で示すように、板部５１１，５１２が連続する稜線部５１０の側がアングル材１００の縁に対面する向きで第１の棒状部材３に嵌められる。即ち、稜線部５１０の外面側が、アングル材１００の縁に当接・緊締する向きで嵌められる。このように逆向きで嵌めることができるため、アングル材が小さい場合にも対応可能である。
【００２４】
鋼製である第２の当て金具６は、板金具６１と筒金具６５を溶接等の公知の手法によって一体に固着して成る。
板金具６１は、鋭角を成す２つの板部６１１，６１２で構成される。この板部６１１と６１２は、１枚の板を曲げることによって構成してもよく、２枚の板を溶接等で接合して構成してもよい。
筒金具６５は、第２の棒状部材４の螺子４１に抜き差し自在な筒状を成す。
この筒金具６５の外周面上に、板金具６１の一方の板部６１１を溶接することにより、当て金具６が構成される。その固着方向は、筒金具６５の軸線６５ａｘが、板金具６１の稜線部（２つの板部６１１，６１２の境界を成す直線状の部位；図示の例ではアールに形成されている）６１０と、図２の左側面視で直交する方向である。
この第２の当て金具６も、第１の当て金具５と同様に、板部６１１，６１２の開放側がアングル材１の縁１７に対面する向きでも、また、板部６１１，６１２が連続する稜線部６１０の側がアングル材１００の縁に対面する向きでも、第２の棒状部材４に嵌めることができる。
【００２５】
鋼製であるＵ字形状の係止金具７は、両端７５，７６を、図２や図４に示すように、当て板部材２の一方の板部２１の外面上に、溶接等の公知の手法によって、一体に固着されている。塗装作業者等の一般的な高所作業者が用いるライフロープ先端のフックの輪のサイズ（フックを係止して輪形状としたときの差し渡し）は、通常の建築物での作業を想定しているため、電気工事作業者が用いるものより大きい。このため、そのようなライフロープを用いる塗装作業者等が送電用鉄塔、鉄道架線支持用構造体、無線用鉄塔等で作業する場合には、大サイズのフックを係止できる適当な部材が無い。このため、フックをライフロープに係止して作った輪を付近の部材に係止する等している。本実施の形態の塔柱用ステップ金具は、塗装作業者等が用いるような大サイズのフックであっても、Ｕ字形状の係止金具７に係止できるため、係止のための作業が容易となる。
【００２６】
本第１の実施の形態の塔柱用ステップ金具を、アングル材１に取り付ける手順を説明する。
まず、当て板部材２の内面をアングル材１の外面に沿って押し当てる。
次に、第１の当て金具５を、図４内矢印ａの方向へ移動させて、板金具５１の板部５１１，５１２の内面をアングル材１の一方の縁１６に当接させ、その状態で、第１の棒状部材３の螺子３１にワッシャ３８を介してナット３９を螺合して、ナット３９で筒金具５５を締め付けて、板金具５１をアングル材１に押圧する。
同様に、第２の当て金具６を、図４内矢印ａの方向へ移動させて、板金具６１の板部６１１，６１２の内面をアングル材１の他方の縁１７に当接させ、その状態で、第２の棒状部材４の螺子４１にワッシャ４８を介してナット４９を螺合して、ナット４９で筒金具６５を締め付けて板金具６１をアングル材１に押圧する。
これにより、取付が完了する。
なお、アングル材が小さい場合（図１に細２点鎖線で示したアングル材１００を参照）に、当て金具５，６を逆向きにして対応できることは、前述のとおりである。
【００２７】
［ｂ］第２の実施の形態：
次に、第２の実施の形態を、図５〜図６を参照して説明する。
図５は第２の実施の形態の塔柱用ステップ金具を示す上面図、図６は図５内下方から見た正面図である。なお、図５〜図６に於いて、第１の実施の形態（図１〜図４）と同じ部材については同じ符号を付して示し、説明は省略する。
【００２８】
第２の実施の形態が第１の実施の形態と異なる点は、以下の２点である。
まず、第１の実施の形態では、ライフロープのフックを係止するための係止金具７がＵ字形状を成し、その両端７５，７６を当て板部材２の板部２１の外面に溶接することで構成していたのに対して、第２の実施の形態では、輪状を成す係止金具７ｕを、第１の棒状部材３の端部の膨大部３５から溶接やボルト−ナット等の公知の手法を用いて延設して構成している。また、輪の差し渡しも、Ｕ字の差し渡しよりも小さいサイズとしている。
このように構成しているため、作業者の足掛かりとしての膨大部３５の機能を補助することができる。また、作業対象の塔（例：鉄道架線支持用構造体）等との関係で、板部２１の外面に係止金具７を突出させるような余裕を持たせられない場合でも、係止部材を構成することができる。また、小さなフックを用いる場合に便利である。
なお、図示の例では、膨大部３５から係止金具７ｕを延設しているが、膨大部３５を無くしてその代わりに係止金具７ｕを設けるようにしてもよい。
【００２９】
もう一つの差異は、第１の実施の形態では、第１の当て金具５及び第２の当て金具６の各板金具（板金具５１，６１）を、鋭角を成す２つの板部（板部５１１と５１２，板部６１１と６１２）により構成していたのに対して、第２の実施の形態では、鈍角（例：１３５°程度）を成す２つの板部（板部５１１ｕと５１２ｕ，板部６１１ｕと６１２ｕ）で構成しており、第１の当て金具５ｕ及び第２の当て金具６ｕを，それぞれの板金具の板部５１２ｕ，６１２ｕの外面側が、アングル材１０１の側を向くようにして、棒状部材３，４に嵌めている点である。
このように構成しているため、アングル材１０１の幅が、当て板部材２の幅より小さい場合でも、板部５１２ｕ，６１２ｕの外面をアングル材１０１の縁に当接させて締結することができる。即ち、アングル材が小さな場合にも対応できる。
なお、各部材の長さや幅或いは角度等は、適宜に調整してよい。
【００３０】
［ｃ］第３の実施の形態：
次に、第３の実施の形態を、図７を参照して説明する。
図７は第３の実施の形態の塔柱用ステップ金具を示す上面図である。なお、図７に於いて、第１の実施の形態（図１〜図４）や第２の実施の形態（図５〜図６）と同じ部材については同じ符号を付して示し、説明は省略する。
【００３１】
第２の実施の形態が第１や第２の実施の形態と異なる点は、以下の点である。
即ち、第１の実施の形態では鋭角を成す２つの板部（板部５１１と５１２／板部６１１と６１２）により板金具５１／６１を構成しており、第２の実施の形態では鈍角を成す２つの板部（板部５１１ｕと５１２ｕ／板部６１１ｕと６１２ｕ）により板金具５１ｕ／６１ｕを構成していたのに対して、第３の実施の形態では、筒金具５５に固着された板部である一方の板部５１１ｖと固着されていない板部である他方の板部とにより構成するとともに、該他方の板部を、２つの板部の境界を成す稜線部から鈍角で立ち上がる段部５１３ｖと該段部５１３ｖから前記板部材２の一方の板部２１と平行面を成し得るように延設された延設部５１４ｖを有するように構成しており、段部５１３ｖがアングル材１に当接し得る向きで筒金具５５を前記第１の棒状部材３に嵌めている。
【００３２】
このように構成されているため、塔柱用ステップ金具をアングル材１０２に取り付ける際には、延設部５１４ｖ／６１４ｖがアングル材１０２を覆うようにできる。言い換えれば、延設部５１４ｖ／６１４ｖと板部２１／２２の間に、アングル材１０２を挟み込むことができる。このため、作業者の昇降等により大きな衝撃力が加わった場合でも、塔柱用ステップ金具が、アングル材１０２から外れ難いという効果がある。
また、取り付けるための作業時に於いて、筒金具５５／６５が棒状部材３／４の軸回りに回りそうになったとしても、延設部５１４ｖ／６１４ｖがアングル材１０２によって係止され、結果、そのような回転が防止されて、取り付け作業が容易となる。
また、板金具５１ｖ／６１ｖがアングル材１０２に当接する部位は、筒金具５５／６５の内端部（当て板部材２寄りの端部）よりも更にアングル材１０２寄りであるため、取り付け作業時に筒金具５５／６５を軸方向で移動させるストロークを、第１の実施の形態に於いて板金具５１／６１の開放側をアングル材１に向けて嵌める場合と比較して、小さくできる。このため、取り付け作業時の煩雑さを低減できる。
また、アングル材の幅サイズが、当て板部材２の板部２１，２２の幅サイズより小さい場合でも、対応できるという効果もある。
【図面の簡単な説明】
【００３３】
【図１】第１の実施の形態の塔柱用ステップ金具を示す上面図。
【図２】図１の塔柱用ステップ金具を図１内左方から見た左側面図。
【図３】図１の塔柱用ステップ金具を図１内下方から見た正面図。
【図４】図１の塔柱用ステップ金具の概要を示す斜視図。
【図５】第２の実施の形態の塔柱用ステップ金具を示す上面図。
【図６】図５の塔柱用ステップ金具を図５内下方から見た正面図。
【図７】第３の実施の形態の塔柱用ステップ金具を示す上面図。
【符号の説明】
【００３４】
１  アングル材
１６  （アングル材１の）一方の縁
１７  （アングル材１の）他方の縁
２  当て板部材
２０  （当て板部材２の）稜線部
２１  （当て板部材２の一方の）板部
２２  （当て板部際２の他方の）板部
３  第１の棒状部材
３ａｘ  （第１の棒状部材３の）軸線
３１  （第１の棒状部材３の）螺子
３５  （第１の棒状部材３の）膨大部
３９  ナット
４  第２の棒状部材
４ａｘ  （第２の棒状部材４の）軸線
４１  （第２の棒状部材４の）螺子
４２  （第２の棒状部材４の稜線部２０側の）端部
４９  ナット
５  第１の当て金具
５１  （第１の当て金具５の）板金具
５１０  （板金具５１の）稜線部
５１１  （板金具５１の）板部
５１２  （板金具５１の）板部
５５  （第１の当て金具５の）筒金具
５５ａｘ  （筒金具５５の）軸線
６  第２の当て金具
６１  （第２の当て金具６の）板金具
６１０  （板金具６１の）稜線部
６１１  （板金具６１の）板部
６１２  （板金具６１の）板部
６５  （第２の当て金具６の）筒金具
６５ａｘ  （筒金具６５の）軸線
７  Ｕ字形状の係止金具
７５  （係止金具７の）端部
７６  （係止金具７の）端部
５ｕ  第１の当て金具
５１ｕ  （第１の当て金具５ｕの）板金具
５１０ｕ  （板金具５１ｕの）稜線部
５１１ｕ  （板金具５１ｕの）板部
５１２ｕ  （板金具５１ｕの）板部
６ｕ  第２の当て金具
６１ｕ  （第２の当て金具６ｕの）板金具
６１０ｕ  （板金具６１ｕの）稜線部
６１１ｕ  （板金具６１ｕの）板部
６１２ｕ  （板金具６１ｕの）板部
７ｕ  輪状の係止金具
５ｖ  第１の当て金具
５１ｖ  （第１の当て金具５ｖの）板金具
５１１ｖ  （板金具５１ｖの）板部
５１３ｖ  （板金具５１ｖの）段部
５１４ｖ  （板金具５１ｖの）延設部
６ｖ  第２の当て金具
６１ｖ  （第２の当て金具６ｖの）板金具
６１１ｖ  （板金具６１ｖの）板部
６１３ｖ  （板金具６１ｖの）段部
６１４ｖ  （板金具６１ｖの）延設部
【要約】
【課題】  アングル鋼材に対してしっかり固定でき、作業中の昇降の繰り返しによってもガタつかない塔柱用ステップ金具を提供する。
【解決手段】  アングル材１と同角度の板部２１，２２から成る当て板部材２と、当て板部材２の板部２１の外面に固着され一方の端部寄りに螺子３１を形成され他方の端部に膨大部３５を有する第１の棒状部材３と、当て板部材２の他方の板部２２の外面に固着され先端側に螺子４１を形成された第２の棒状部材４と、筒金具５５を第１の棒状部材３の螺子３１に抜き差し自在に嵌められた第１の当て金具５と、筒金具６５を第２の棒状部材４の螺子４２に抜き差し自在に嵌められた第２の当て金具６を有し、当て板部材２の内面をアングル材１の外面に押し当て、当て金具５，６の板金具５１，６１をそれぞれアングル材１の縁に当接させつつ、ナット３９，４９をそれぞれ緊締することでアングル材１に取り付けられる塔柱用ステップ金具。
【選択図】      図４【図１】
0004134274.tif 000002
【図２】
0004134274.tif 000003
【図３】
0004134274.tif 000004
【図４】
0004134274.tif 000005
【図５】
0004134274.tif 000006
【図６】
0004134274.tif 000007
【図７】
0004134274.tif 000008